(57)【要約】      （修正有）【課題】電子機器の充電用置台を対象とし、製造に関わるコストの低減を達成し得るとともに、操作性および安全性の更なる向上をも達成し得る、電子機器の充電用置台を提供する。【解決手段】電子機器の一方端を支持する本体側支持部を有する置台本体と、電子機器の他方端を支持するスライド体側支持部を有するスライド体とを備え、スライド体側支持部が本体側支持部に対して近接・離反できるように設置されたスライド体と、本体側支持部に相対向するとともに爪部を有するスライド体側支持部と、本体側支持部に対して没入・突出する充電端子バネと、スライド体側支持部が本体側支持部に近接する方向へ付勢手段によって付勢されるスライド体とを有し、スライド体側支持部に置台本体に装着される電子機器の挙動により付勢手段の付勢力に抗してスライド体側支持部を本体側支持部から離反させ充電端子バネを本体側支持部から突出させる押子部を形成している。【選択図】  図８
2008167539.tif 000002
【特許請求の範囲】
【請求項１】
電子機器の一方端に設けた充電端子板と当接する充電端子バネと、前記電子機器の他方端に設けた凹部に係合する爪部とを具備し、前記爪部を前記凹部に係合させるとともに前記充電端子バネを前記充電端子板に当接させた状態で前記電子機器を保持し、前記電子機器に対して充電を行なうよう構成した電子機器の充電用置台であって、
前記電子機器の一方端を支持する本体側支持部を有する置台本体と、
前記電子機器の他方端を支持するスライド体側支持部を有するスライド体とを備え、
前記スライド体は、前記スライド体側支持部が前記本体側支持部に対して近接・離反できるように設置され、
前記スライド体側支持部は、前記本体側支持部に相対向するとともに前記爪部を有し、  前記充電端子バネは、前記本体側支持部に対して没入・突出し、
前記スライド体は、前記スライド体側支持部が前記本体側支持部に近接する方向へ付勢手段によって付勢され、
前記スライド体側支持部に、前記置台本体に装着される前記電子機器の挙動により、前記付勢手段の付勢力に抗して、前記スライド体側支持部を前記本体側支持部から離反させ、前記充電端子バネを前記本体側支持部から突出させる押子部を形成したことを特徴とする電子機器の充電用置台。
【請求項２】
前記スライド体側支持部における前記押子部を、前記スライド体側支持部における前記爪部と一体に形成したことを特徴とする、請求項１記載の電子機器の充電用置台。
【発明の詳細な説明】
【技術分野】
【０００１】
本発明は、例えば携帯電話機の如き充電式の電子機器に対して充電を行なう際に使用される電子機器の充電用置台に関するものである。
【背景技術】
【０００２】
図１０に示す電子機器の一態様であるスライド開閉式の携帯電話機Ａは、本体筐体Ｂと蓋体筐体Ｃとを開閉自在にスライド連結したもので、上記本体筐体Ｂに収納された充電可能な二次電池によって駆動される。
【０００３】
また、上記携帯電話機Ａにおける本体筐体Ｂの一方端Ｂａには、充電端子板Ｅが設けられているとともに、本体筐体Ｂにおける他方端Ｂｂには、ロック凹部Ｂｒが形成されている。
【０００４】
一方、上述の如き携帯電話機(電子機器)Ａを充電する置台として、本体筐体Ｂの充電端子板Ｅに当接する充電端子バネと、本体筐体Ｂのロック凹部Ｂｒに係合するロック爪部とを備えて成る充電用置台が提供されている(例えば、特許文献１参照)。
【０００５】
図１０および図１１に示す如く、携帯電話機Ａを充電するための充電用置台Ｇには、携帯電話機Ａを収容保持する一方支持部Ｊと他方支持部Ｋとが形成されており、一方支持部Ｊには携帯電話機Ａの充電端子板Ｅ当接する充電端子バネＬが設けられ、他方支持部Ｋには携帯電話機Ａのロック凹部Ｂｒと係合するロック爪部Ｍが設けられている。
【０００６】
上記充電端子バネＬは、充電用置台Ｇ内にスライド自在に設置されたスライド体Ｈに支持され、一方支持部Ｊに対して出没自在に設置されているとともに、コイルスプリングＳによって常に一方支持部Ｊに没入する方向(図中の左方向)へ付勢されている。
【０００７】
一方、上記ロック爪部Ｍは、一方支持部Ｊに近接離反する方向へ移動自在に設けられ、バネＮによって他方支持部Ｋから突出する方向(図中の左方向)へ常時付勢されている。
【０００８】
また、一方支持部Ｊと他方支持部Ｋとの間には、スライド体Ｈをスライド動作させる押子Ｐが出没自在に設置されており、携帯電話機Ａが装着されていない状況において、上記押子ＰはコイルスプリングＳにより付勢されたスライド体Ｈを介して、充電用置台Ｇから突出した状態に在る。
【０００９】
上述した充電用置台Ｇに携帯電話機Ａを装着して充電を行う際には、図１０中の矢印ａに示す如く、作業者の手操作によって携帯電話機Ａを充電用置台Ｇに押し入れて装着する。
【００１０】
図１１に示す如く、携帯電話機Ａを充電用置台Ｇの一方支持部Ｊと他方支持部Ｋとの間に装着すると、携帯電話機Ａによって矢印ｂ(図１０)の如く押下げられた押子Ｐの回動動作により、スライド体ＨがコイルスプリングＳの付勢力に抗して矢印ｃ(図１０)の如く図中右方へスライドし、上記スライド体Ｈに支持された充電端子バネＬが一方支持部Ｊから突出し、携帯電話機Ａの充電端子板Ｅと圧接する。
【００１１】
また、バネＮによって矢印ｄの如く付勢されたロック爪部Ｍが、携帯電話機Ａのロック凹部Ｂｒと係合することにより、充電用置台Ｇに携帯電話機Ａが装着保持されることとなる。
【００１２】
このように、携帯電話機Ａが充電用置台Ｇに装着保持された状態で、携帯電話機Ａの充電端子板Ｅに、充電用置台Ｇの充電端子バネＬが当接することで、この状態において携帯電話機Ａに対する充電が行なわれることとなる。
【特許文献１】特開２００４−３０４９７８号公報
【発明の開示】
【発明が解決しようとする課題】
【００１３】
ところで、上述した如き従来の充電用置台Ｇでは、一方支持部Ｊに対して充電端子バネＬを出没させるためにスライド体Ｈ、コイルスプリングＳ、押子Ｐ等の部品を用い、さらに携帯電話機Ａを保持するためにロック爪部ＭおよびバネＮ等の部品を用いているため、構成部品の点数が多いことから管理が繁雑となり、また組立て作業も工数の多いものと成るために、製造に関わるコストの増大を招いてしまう問題があった。
【００１４】
また、上述した従来の充電用置台Ｇにおいて、携帯電話機Ａを装着した状態では、コイルスプリングＳにより矢印ｅの如く付勢されるスライド体Ｈを介して、押子Ｐが矢印ｆの如く上動しようとするので、携帯電話機Ａを確実に装着保持するには、ロック爪部Ｍを付勢するバネＮのバネ荷重を高く設定する必要があるため、携帯電話機Ａを装着する際の挿入荷重(ロック爪部Ｍを押し遣る力)が大きくなり、大きな操作力を必要とすることから、充電用置台Ｇに携帯電話機Ａを装着する際の操作性が損なわれる虞れがあった。
【００１５】
さらに、上述した従来の充電用置台Ｇでは、例えば使用者の手が不用意に押子Ｐに触れて動作させた場合、充電端子バネＬが一方支持部Ｊから突出して、使用者の手に近接することとなるために、上記充電端子バネが使用者に触れてしまう虞れを免れなかった。
【００１６】
本発明の目的は上記実状に鑑みて、製造に関わるコストの低減を達成し得るとともに、操作性およぴ安全性の更なる向上をも達成し得る、電子機器の充電用置台を提供することにある。
【課題を解決するための手段】
【００１７】
請求項１の発明に関わる電子機器の充電用置台は、電子機器の一方端に設けた充電端子板と当接する充電端子バネと、電子機器の他方端に設けた凹部に係合する爪部とを具備し、爪部を凹部に係合させるとともに充電端子バネを充電端子板に当接させた状態で電子機器を保持し、電子機器に対して充電を行なうよう構成した電子機器の充電用置台であって、
電子機器の一方端を支持する本体側支持部を有する置台本体と、電子機器の他方端を支持するスライド体側支持部を有するスライド体とを備え、
スライド体は、スライド体側支持部が本体側支持部に対して近接・離反できるように設置され、
スライド体側支持部は、本体側支持部に相対向するとともに爪部を有し、
充電端子バネは、本体側支持部に対して没入・突出し、
スライド体は、スライド体側支持部が本体側支持部に近接する方向へ付勢手段によって付勢され、
スライド体側支持部に、置台本体に装着される電子機器の挙動により、付勢手段の付勢力に抗して、スライド体側支持部を本体側支持部から離反させ、充電端子バネを本体側支持部から突出させる押子部を形成したことを特徴としている。  請求項２の発明に関わる電子機器の充電用置台は、請求項１の発明に関わる電子機器の充電用置台において、スライド体側支持部における押子部を、スライド体側支持部の爪部と一体に形成したことを特徴としている。
【発明の効果】
【００１８】
請求項１の発明に関わる電子機器の充電用置台によれば、スライド体に設けたスライド体側支持部に爪部と押子部とを形成し、これらの構成要素を一部品化することによって部品点数を削減することができ、さらに共通の付勢手段によって充電端子バネの付勢と爪部の付勢とを行うことで、従来の充電用置台に比較して部品点数を大幅に削減することができ、もって製造に関わるコストの低減を達成することが可能となる。
【００１９】
また、請求項１の発明に関わる電子機器の充電用置台では、装着された電子機器を押子部が取外し方向に付勢することがなく、爪部の付勢手段は充電用置台に電子機器を保持し得る必要最低限の付勢力を備えていれば良いので、電子機器を装着する際の挿入荷重(爪
部を押し遣る力)が小さくて済み、もって軽い操作力で電子機器を装着(および取外し)で
きるため、操作性の大幅な向上を達成することが可能となる。
【００２０】
また、請求項１の発明に関わる電子機器の充電用置台によれば、スライド体に充電端子バネとスライド体側支持部とを設置しているので、使用者の手が不用意にスライド体側支持部に触れて動作させ、充電端子バネが本体側支持部から突出した場合でも、スライド体側支持部と充電端子バネとの間隔は変わらないので、上記充電端子バネが使用者の手に近接することがなく、もって安全性の更なる向上を達成することが可能となる。
【００２１】
請求項２の発明に関わる電子機器の充電用置台によれば、スライド体側支持部における押子部を爪部と一体に形成したことで、上記スライド体側支持部の形状を単純化することができ、もって充電用置台の製造に関わるコストを低減させることが可能となる。
【発明を実施するための最良の形態】
【００２２】
以下、実施例を示す図面に基づいて、本発明を詳細に説明する。  
図１〜図３は、本発明を電子機器の一態様である携帯電話機の充電用置台に適用した一実施例を示し、この実施例における充電用置台１は、後に詳述する置台本体２とスライド体側支持部３とを備え、上記置台本体２に取付けられたスタンドベース４により、仰向けに傾斜した姿勢で机上Ｔ等に載置される。
【００２３】
一方、上記充電用置台１を用いて充電される携帯電話機１０は、いわゆるスライド開閉式の携帯電話機であって、本体筐体１１と蓋体筐体１２とを開閉自在にスライド連結して成り、本体筐体１１に収納された充電可能な二次電池(図示せず)によって駆動される。
【００２４】
また、上記携帯電話機１０における本体筐体１１の左側面(一方端)１１ｌには、支持凹部１１ｈを挟んで一対の充電端子板１１Ｅ，１１Ｅが設けられており、本体筐体１１の右側面(他方端)１１ｒには、一対のロック凹部(凹部)１１Ｒ，１１Ｒが陥没形成されている。
【００２５】
図１および図３〜図８に示す如く、本実施例における充電用置台１の置台本体２は、下ケース２Ｌと上ケース２Ｕとを互いに組付けて構成され、正面側の下方部には、携帯電話機１の左側面(一方端)１１ｌを支持する本体側支持部２Ｈが突出形成されている。
【００２６】
上記本体側支持部２Ｈには、携帯電話機１０の充電端子板１１Ｅ，１１Ｅと当接する一対の充電端子バネ５，５が、後に詳述する態様で収容されているとともに、携帯電話機１０の支持凹部１１ｈと係合する支持凸部２ｐが形成されている。
【００２７】
また、上記置台本体２には、携帯電話機１０に対応した略矩形状を呈する正面板２Ｆを有し、該正面板２Ｆにおける下方の左右隅部には、携帯電話機１０のコーナー部を保持するサポート２Ｓ，２Ｓが形成されている。
【００２８】
一方、実施例における充電用置台１は、上述した置台本体２の本体側支持部２Ｈと相対向するスライド体側支持部３を具備しており、該スライド体側支持部３は、上記本体側支持部２Ｈに対して近接・離反自在に設置されている。
【００２９】
上記スライド体側支持部３は、図５〜図８に示す如く、置台本体２に収容設置されたスライド自在なスライド体６の一方端に形成されており、上記スライド体６の他方端には上述した一対の充電端子バネ５，５が取り付けられている。
【００３０】
上記充電端子バネ５，５は、上述した置台本体２における本体側支持部２Ｈの内部に収容されており、上記スライド体６のスライド移動に伴って、本体側支持部２Ｈに対して突出・没入することとなる。因みに、上記充電端子バネ５，５は、図５中の電源部８に接続されている。
【００３１】
上記スライド体６と置台本体２との間、具体的には下ケース２Ｌに形成されたリブ２ｗとの間には、一対のコイルスプリング(付勢手段)７，７が介装されており、これらコイルスプリング７によってスライド体６が図７の中矢印ｃの如く付勢され、充電端子バネ５，５は本体側支持部２Ｈに没入する方向、且つスライド体側支持部３は本体側支持部２Ｈに近接する方向へ付勢されている。
【００３２】
すなわち、常態において充電端子バネ５，５は本体側支持部２Ｈに没入した初期位置に在り、且つスライド体側支持部３は本体側支持部２Ｈに近接した初期位置に在り、図７および図８中の矢印ｏの如く、コイルスプリング７，７の付勢力に抗して、スライド体側支持部３を本体側支持部２Ｈから離隔する方向へ移動させると、スライド体６を介してスライド体側支持部３と一体に動作する充電端子バネ５，５は、本体側支持部２Ｈから突出する方向へ移動することとなる。
【００３３】
また、上記スライド体側支持部３における本体側支持部２Ｈと対向する面には、携帯電話機１０における右側面(他方端)１１ｒのロック凹部１１Ｒ，１１Ｒと係合する一対のロック爪部(爪部)３Ｒ，３Ｒが一体に突出形成されており、これらロック爪部３Ｒ，３Ｒの上縁部には、それぞれ傾斜したガイドスロープ３ｇ，３ｇが形成されている。
【００３４】
ここで、ロック爪部３Ｒにガイドスロープ３ｇを形成したことにより、上記ロック爪部３Ｒは押子部としての機能、詳しくは、充電用置台１に対する携帯電話機１０の装着動作に伴って、スライド体側支持部３を置台本体２の本体側支持部２Ｈから離反させ、且つ充電端子バネ５，５を本体側支持部２Ｈから突出させる機能を有することとなる。
【００３５】
すなわち、実施例の充電用置台１においては、ロック爪部３Ｒにガイドスロープ３ｇを形成することで、スライド体側支持部３に対して押子部をロック爪部３Ｒと一体に形成したものである。
【００３６】
上述した構成の充電用置台１に携帯電話機１０を装着するには、先ず図９(ａ)に示す如く、作業者の手操作によって携帯電話機１０を誘導し、置台本体２における本体側支持部２Ｈの支持凸部２ｐ(図８参照)を、携帯電話機１０の支持凹部１１ｈ(図２参照)と係合させ、次いで図９(ａ)中の矢印ｆに示す如く、携帯電話機１０を充電用置台１に対して押圧する。
【００３７】
このとき、携帯電話機１０がロック爪部３Ｒのガイドスロープ３ｇと摺接することで、スライド体側支持部３がコイルスプリング７，７の付勢力に抗して本体側支持部２Ｈから離隔する方向へ移動し、上記ロック爪部３Ｒが携帯電話機１０のロック凹部１１Ｒと係合することで、図９(ａ)中の矢印ｃの如く付勢されるロック爪部３Ｒによって、充電用置台１に携帯電話機１０が装着保持されることとなる。
【００３８】
また、携帯電話機１０がロック爪部３Ｒのガイドスロープ３ｇと摺接して、スライド体側支持部３が本体側支持部２Ｈから離隔する方向へ移動することで、本体側支持部２Ｈに没入していた充電端子バネ５，５が突出し、充電用置台１に装着保持された携帯電話機１０の充電端子板１１Ｅ，１１Ｅと圧接することとなる。
【００３９】
このようにして、図９(ｂ)に示す如く、ロック爪部３Ｒと支持凸部２ｐ(図８参照)とにより、携帯電話機１０が充電用置台１の所定位置に装着保持されるとともに、充電端子バネ５と充電端子板１１Ｅとが確実に接触した状態において、上記充電用置台１の稼動によって携帯電話機１０に対する充電が行なわれることとなる。
【００４０】
上述した構成の充電用置台１によれば、充電端子バネ５を支持するスライド体６にスライド体側支持部３を設けるとともに、上記スライド体側支持部３に押子部を兼ねるロック爪部３Ｒを形成し、構成要素を一部品化することによって部品点数を削減することができ、さらに共通するコイルスプリング(付勢手段)７によって、充電端子バネ５の没入方向への付勢と、ロック爪部３Ｒの係合方向への付勢とを行うことで、従来の充電用置台に比較して部品点数を大幅に削減することができ、もって製造に関わるコストの低減を達成することが可能となる。
【００４１】
また、上述した構成の充電用置台１においては、装着した携帯電話機１０を取外し方向に付勢していた従来の押子(図１０、図１１参照)が存在せず、ロック爪部３Ｒを付勢するコイルスプリング７は、充電用置台１に対して携帯電話機１０を保持し得る必要最低限の付勢力を備えていれば良いので、携帯電話機１０を装着する際の挿入荷重(ロック爪部を
押し遣る力)が小さくて済み、もって軽い操作力で携帯電話機１０を装着(および取外し)
できるため、操作性の大幅な向上を達成することが可能となる。
【００４２】
また、図１０および図１１に示した従来の充電用置台Ｇにおいて、押子Ｐは一方支持部Ｊと他方支持部Ｋとの間に露出しており、充電用置台Ｇに対する携帯電話機Ａの装着方向と同方向に動作するので、使用者の手が触れることで押子Ｐが誤動作し易く、不用意に充電端子バネＬが一方支持部Ｊから突出する虞れがあったのに対し、上述した本実施例の充電用置台１において、押子部として機能するロック爪部３Ｒは、スライド体側支持部３に形成されているために使用者の手が触れ難く、さらに上記スライド体側支持部３は充電用置台１に対する携帯電話機１０の装着方向と交差する方向に動作するので、敢えてスライド体側支持部３を動作させない限りは、充電端子バネ５が本体側支持部２Ｈから突出することがなく、もって十分な安全性が確保されることとなる。
【００４３】
さらに、上述した構成の充電用置台１においては、スライド体６に充電端子バネ５とスライド体側支持部３とを設置しているので、万が一、使用者の手が不用意にスライド体側支持部３に触れて動作させてしまった場合でも、充電端子バネ５が本体側支持部２Ｈから突出するものの、スライド体側支持部３と充電端子バネ５との間隔は変わらないので、上記充電端子バネ５が使用者の手に近接することがなく、もって安全性の更なる向上を達成することが可能となる。
【００４４】
また、上述した構成の充電用置台１においては、スライド体側支持部３に設置したロック爪部３Ｒにガイドスロープ３ｇを形成し、ロック爪部３Ｒと押子部とを一体に形成したこと、言い換えればロック爪部３Ｒに押子部としての機能を持たせたことで、「ロック爪部」と「押子部」とを有するスライド体側支持部３の形状を単純化することができ、もって充電用置台１の製造に関わるコストを低減させることが可能となる。因みに、スライド体側支持部３にロック爪部３Ｒとは独立させて、別個に押子部を形成しても良いことは言うまでもない。
【００４５】
なお、上述した実施例においては、本発明を電子機器の一態様である携帯電話機の充電用置台に適用した例を示したが、携帯電話機やＰＨＳ(パーソナル・ハンディホン・シス
テム)等の通信機器、あるいは電子辞書やＰＤＡ(パーソナル・データ・アシスタンス)等
の携帯情報端末に限らず、充電によって駆動する様々な電子機器の充電用置台に対しても、本発明が極めて有効に適用し得るものであることは勿論である。
【図面の簡単な説明】
【００４６】
【図１】(ａ)および(ｂ)は、本発明を携帯電話機の充電用置台に適用した一実施例を外観正面図および外観側面図。
【図２】(ａ)，(ｂ)および(ｃ)は、図１に示した充電用置台に装着される携帯電話機の左側面図、正面図および右側面図。
【図３】(ａ)および(ｂ)は、図１の充電用置台に図２の携帯電話機を装着した状態を示す外観正面図および外観側面図。
【図４】図１に示した充電用置台の外観斜視図。
【図５】図１に示した充電用置台の分解斜視図。
【図６】図１の充電用置台における上カバーを取り外して示す正面正対図。
【図７】(ａ)および(ｂ)は、図１の充電用置台におけるスライド体側支持部等の動作態様を示す分解斜視図。
【図８】(ａ)および(ｂ)は、図１の充電用置台におけるスライド体側支持部等の動作態様を示す概念的な断面側面図。
【図９】(ａ)および(ｂ)は、図１の充電用置台に携帯電話機を装着する際におけるスライド体側支持部等の移動態様を示す側面図。
【図１０】従来の充電用置台を携帯電話機と共に示す概念的な断面側面図。
【図１１】従来の充電用置台に携帯電話機を装着した状態を示す概念的な断面側面図。
【符号の説明】
【００４７】
１…充電用置台、
２…置台本体、
２Ｈ…本体側支持部、
３…スライド体側支持部、
３Ｒ…ロック爪部(爪部)／押子部、
３ｇ…ガイドスロープ、
４…スタンドベース、
５…充電端子バネ、
６…スライド体、
７…コイルスプリング(付勢手段)、
１０…携帯電話機(電子機器)、
１１…本体筐体、
１１ｌ…左側面(一端部)、
１１Ｅ…充電端子板、
１１ｒ…右側面(他端部)、
１１Ｒ…ロック凹部(凹部)。
【図１】
2008167539.tif 000003
【図２】
2008167539.tif 000004
【図３】
2008167539.tif 000005
【図４】
2008167539.tif 000006
【図５】
2008167539.tif 000007
【図６】
2008167539.tif 000008
【図７】
2008167539.tif 000009
【図８】
2008167539.tif 000010
【図９】
2008167539.tif 000011
【図１０】
2008167539.tif 000012
【図１１】
2008167539.tif 000013